(57)【要約】【解決手段】キャップ２１の周壁部２３は、隅部３０を介して環状に連続させて並べた四つの把持辺部２６，２７，２８，２９を有している。四つの隅部３０には、替刃１２をキャップ２１に収容した際に、替刃１２を着脱可能に係止し得る係止部３４，３５，３６，３７を設けている。対角位置にある二つの隅部３０に設けられた係止部３４，３６には弾性片４０を設けている。【効果】把持辺部２６，２７，２８，２９を把持した際にも、係止部３４，３５，３６，３７を有する隅部３０のうち、特に弾性片４０を有する隅部３０は、弾性変形度を維持して、キャップ２１の係止部３４，３５，３６，３７に対する替刃１２の着脱を支障なく行うことができる。【選択図】図８
2015077179.tif 000002
【特許請求の範囲】
【請求項１】
底壁部と、底壁部の外周に設けた周壁部と、底壁部及び周壁部の内側に設けた収容部と、収容部を開放した開口部とを有する保護カバーにおいて、前記周壁部は、環状に連続させて並べた複数の把持辺部と、互いに隣接する両把持辺部間に設けた複数の境界部とを有し、前記各境界部のうち少なくとも一つの境界部には、刃体を有する剃刀ヘッドを前記収容部に収容した際に、その剃刀ヘッドを着脱可能に係止し得る係止部を設けたことを特徴とする剃刀ヘッド保護カバー。
【請求項２】
前記係止部は、弾性変形により剃刀ヘッドを係止し得る係止状態と、弾性に抗して剃刀ヘッドに対する係止を解除し得る非係止状態とを取り得る弾性片を有していることを特徴とする請求項１に記載の剃刀ヘッド保護カバー。
【請求項３】
前記底壁部には前記係止部と対向する切欠孔を設けたことを特徴とする請求項２に記載の剃刀ヘッド保護カバー。
【請求項４】
前記周壁部は、境界部を介して環状に連続させて並べた四つの把持辺部を有し、前記係止部の弾性片は、互いに隣接する両把持辺部間に設けた四つの境界部のうち、少なくとも対角位置にある二つの境界部に設けられていることを特徴とする請求項２または請求項３に記載の剃刀ヘッド保護カバー。
【請求項５】
底壁部の外周で境界部を挟んで底壁部の周方向へ延設した両把持辺部を設け、この境界部には刃体を有する剃刀ヘッドを収容した際にその剃刀ヘッドを着脱可能に係止し得る係止部を設けたことを特徴とする剃刀ヘッド保護カバー。
【請求項６】
前記境界部は隅部であることを特徴とする請求項１〜５のうちいずれか一つの請求項に記載の剃刀ヘッド保護カバー。
【請求項７】
底壁部と、底壁部の外周に設けた周壁部と、底壁部及び周壁部の内側に設けた収容部と、収容部を開放した開口部とを有するカバー部を、その周壁部の一部を兼ねて複数並設した替刃収容ケースにおいて、前記周壁部は、環状に連続させて並べた複数の把持辺部と、互いに隣接する両把持辺部間に設けた複数の境界部とを有し、前記各境界部のうち少なくとも一つの境界部には、刃体を有する替刃を前記収容部に収容した際に、その替刃を着脱可能に係止し得る係止部を設けたことを特徴とする替刃収容ケース。
【発明の詳細な説明】
【技術分野】
【０００１】
本発明は、ホルダに対し着脱可能に連結し得る替刃などの剃刀ヘッドを収容することができるキャップなどの保護カバー、並びに、複数の替刃を収容して保管することができる替刃収容ケースに関するものである。
【背景技術】
【０００２】
下記の特許文献１にかかる替刃収容ケースにおいては、底壁部と、底壁部の外周に設けた周壁部と、底壁部及び周壁部の内側に設けた収容部と、底壁部に対向して収容部を開放した開口部とを有するキャップが複数並べられて、互いに隣接するキャップにおける周壁部に設けられた連結部で各キャップが着脱可能に連結されている。そのキャップの収容部に替刃を収容して保管することができる。それらのキャップは、剃刀においてホルダに対し着脱可能に連結し得る替刃を収容する際にも利用することができる。
【０００３】
前記キャップの周壁部は、隅部を介して環状に連続させて並べた四つの把持辺部を有している。替刃における刃体の刃先延設方向に直交する方向の両側に位置する二つの把持辺部のうち一方の把持辺部には、替刃をキャップの収容部に収容した際に、その替刃を着脱可能に係止し得る係止部が設けられている。
【０００４】
また、下記の特許文献２にかかる替刃収容ケースにおいて、替刃における刃体の刃先延設方向に沿う方向の両側に位置する二つの把持辺部には、替刃をキャップの収容部に収容した際に、その替刃を着脱可能に係止し得る係止部が設けられている。
【先行技術文献】
【特許文献】
【０００５】
【特許文献１】実公平５−３１３５号公報
【特許文献２】特開昭５０−４７７４６号公報
【発明の概要】
【発明が解決しようとする課題】
【０００６】
しかし、替刃をキャップの収容部に収容する際に、キャップの周壁部の把持辺部を把持すると、その把持辺部が収容部側に撓むため、係止部を有する把持辺部が弾性変形しにくくなって、キャップの係止部に対する替刃の着脱に支障を来たすおそれがあった。
【０００７】
この発明は、剃刀の替刃に対し着脱可能に支持されるキャップや、複数のキャップを着脱可能に連結した替刃収容ケースなどに利用される剃刀ヘッド保護カバー、並びに、複数のカバー部を一体的に並設した替刃収容ケースにおいて、保護カバーや替刃収容ケースのカバー部の係止部に対する剃刀ヘッドの着脱を支障なく行うことを目的としている。
【課題を解決するための手段】
【０００８】
後記実施形態の図面（図１〜９）の符号を援用して本発明を説明する。
請求項１の発明にかかる剃刀ヘッド保護カバー（２１，４２）においては、底壁部（２２）と、底壁部（２２）の外周に設けた周壁部（２３）と、底壁部（２２）及び周壁部（２３）の内側に設けた収容部（２４）と、収容部（２４）を開放した開口部（２５）とを有し、前記周壁部（２３）は、環状に連続させて並べた複数の把持辺部（２６，２７，２８，２９）と、互いに隣接する両把持辺部（２６，２７，２８，２９）間に設けた複数の境界部（３０）とを有し、前記各境界部（３０）のうち少なくとも一つの境界部（３０）には、刃体（１４）を有する剃刀ヘッド（１２）を前記収容部（２４）に収容した際に、その剃刀ヘッド（１２）を着脱可能に係止し得る係止部（３４，３５，３６，３７）を設けた。
【０００９】
請求項１の発明では、把持辺部（２６，２７，２８，２９）を把持した際にも係止部（３４，３５，３６，３７）を有する境界部（３０）は弾性変形度を維持して保護カバー（２１，４２）の係止部（３４，３５，３６，３７）に対する剃刀ヘッド（１２）の着脱を支障なく行うことができる。
【００１０】
請求項１の発明を前提とする請求項２の発明にかかる剃刀ヘッド保護カバー（２１，４２）において、前記係止部（３４，３６）は、弾性変形により剃刀ヘッド（１２）を係止し得る係止状態と、弾性に抗して剃刀ヘッド（１２）に対する係止を解除し得る非係止状態とを取り得る弾性片（４０）を有している。請求項２の発明では、保護カバー（２１，４２）の各係止部（３４，３６）の弾性片（４０）に対する剃刀ヘッド（１２）の着脱を容易に行うことができる。
【００１１】
請求項２の発明を前提とする請求項３の発明にかかる剃刀ヘッド保護カバー（２１，４２）において、前記底壁部（２２）には前記係止部（３４，３５，３６，３７）と対向する切欠孔（３８）を設けた。請求項３の発明では、底壁部（２２）の切欠孔（３８）により剃刀ヘッド（１２）を視認することができる。
【００１２】
請求項２または請求項３の発明を前提とする請求項４の発明にかかる剃刀ヘッド保護カバー（２１，４２）において、前記周壁部（２３）は、境界部（３０）を介して環状に連続させて並べた四つの把持辺部（２６，２７，２８，２９）を有し、前記係止部（３４，３６）の弾性片（４０）は、互いに隣接する両把持辺部（２６，２７，２８，２９）間に設けた四つの境界部（３０）のうち、少なくとも対角位置にある二つの境界部（３０）に設けられている。請求項４の発明では、四つの把持辺部（２６，２７，２８，２９）のうち対向する二つの把持辺部（２６，２７，２８，２９）を把持した際に周壁部（２３）が偏って変形することを規制するため、保護カバー（２１，４２）の各係止部（３４，３６）の弾性片（４０）に対する剃刀ヘッド（１２）の着脱を支障なく行うことができる。
【００１３】
請求項５の発明にかかる剃刀ヘッド保護カバー（２１，４２）においては、底壁部（２２）の外周で境界部（３０）を挟んで底壁部（２２）の周方向へ延設した両把持辺部（２６，２７，２８，２９）を設け、この境界部（３０）には刃体（１４）を有する剃刀ヘッド（１２）を収容した際にその剃刀ヘッド（１２）を着脱可能に係止し得る係止部（３４，３５，３６，３７）を設けた。
【００１４】
請求項５の発明では、把持辺部（２６，２７，２８，２９）を把持した際にも係止部（３４，３５，３６，３７）を有する境界部（３０）は弾性変形度を維持して保護カバー（２１，４２）の係止部（３４，３５，３６，３７）に対する剃刀ヘッド（１２）の着脱を支障なく行うことができる。
【００１５】
請求項１〜５のうちいずれか一つの請求項の発明を前提とする請求項６の発明にかかる剃刀ヘッド保護カバー（２１，４２）において、前記境界部は隅部（３０）である。請求項６の発明では、把持辺部（２６，２７，２８，２９）を把持した際にも係止部（３４，３５，３６，３７）を有する境界部としての隅部（３０）は弾性変形度を維持して保護カバー（２１，４２）の係止部（３４，３５，３６，３７）に対する剃刀ヘッド（１２）の着脱を支障なく行うことができる。
【００１６】
請求項７の発明にかかる替刃収容ケース（４２）においては、底壁部（２２）と、底壁部（２２）の外周に設けた周壁部（２３）と、底壁部（２２）及び周壁部（２３）の内側に設けた収容部（２４）と、収容部（２４）を開放した開口部（２５）とを有するカバー部（２１）を、その周壁部（２３）の一部を兼ねて複数並設したものであって、前記周壁部（２３）は、環状に連続させて並べた複数の把持辺部（２６，２７，２８，２９）と、互いに隣接する両把持辺部（２６，２７，２８，２９）間に設けた複数の境界部（３０）とを有し、前記各境界部（３０）のうち少なくとも一つの境界部（３０）には、刃体（１４）を有する替刃（１２）を前記収容部（２４）に収容した際に、その替刃（１２）を着脱可能に係止し得る係止部（３４，３５，３６，３７）を設けた。
【００１７】
請求項７の発明では、把持辺部（２６，２７，２８，２９）を把持した際にも係止部（３４，３５，３６，３７）を有する境界部（３０）は弾性変形度を維持してカバー部（２１）の係止部（３４，３５，３６，３７）に対する剃刀ヘッド（１２）の着脱を支障なく行うことができる。
【００１８】
次に、請求項以外の技術的思想について実施形態の図面の符号を援用して説明する。
請求項５の発明を前提とする第８の発明にかかる剃刀ヘッド保護カバー（２１，４２）において、前記境界部（３０）は底壁部（２２）の外周で底壁部（２２）の周方向へ複数並べられ、底壁部（２２）の周方向で互いに並べた三つの境界部（３０）において、中間の境界部（３０）を挟む両側の境界部（３０）に設けた係止部（３４，３６）は、弾性変形により剃刀ヘッド（１２）を係止し得る係止状態と、弾性に抗して剃刀ヘッド（１２）に対する係止を解除し得る非係止状態とを取り得る弾性片（４０）を有している。第８の発明では、保護カバー（２１，４２）の各係止部（３４，３６）の弾性片（４０）に対する剃刀ヘッド（１２）の着脱を支障なく行うことができる。
【００１９】
第９の発明にかかる替刃収容ケース（４２）においては、請求項１〜４のうちいずれか一つの請求項の発明に記載の剃刀ヘッド保護カバー（２１）における刃体（１４）を有する剃刀ヘッドは、ホルダ（１）に対し着脱可能に連結し得る替刃（１２）であって、その剃刀ヘッド保護カバー（２１）を複数並べて、互いに隣接する剃刀ヘッド保護カバー（２１）における周壁部（２３）に設けた連結部（３１，３２）で各剃刀ヘッド保護カバー（２１）を着脱可能に連結し得る。第９の発明では、複数の剃刀ヘッド保護カバー（２１）を替刃収容ケース（４２）としても利用することができる。
【００２０】
第９の発明を前提とする第１０の発明にかかる替刃収容ケース（４２）において、前記連結部（３１，３２）は周壁部（２３）の把持辺部（２６，２７）に設けられている。第１０の発明では、剃刀ヘッド保護カバー（２１）を着脱可能に連結し易い。
【００２１】
第９の発明または第１０の発明を前提とする第１１の発明にかかる替刃収容ケース（４２）において、前記連結部（３１，３２）で互いに連結し得る両剃刀ヘッド保護カバー（２１）は、底壁部（２２）の周方向へ互いに着脱し得る。第１１の発明では、複数の剃刀ヘッド保護カバー（２１）における開口部（２５）の向きを揃えた替刃収容ケース（４２）とすることができる。
【００２２】
第１２の発明にかかるキャップ付き剃刀おいては、請求項１〜４のうちいずれか一つの請求項の発明に記載の剃刀ヘッド保護カバーがキャップ（２１）であって、そのキャップ（２１）と、頭部（３）に剃刀ヘッド（１２）を有するホルダ（１）とを備え、そのキャップ（２１）を剃刀ヘッド（１２）に対し着脱可能に支持し得る。第１２の発明では、請求項１〜４のうちいずれか一つの請求項に記載した効果をキャップ付き剃刀において発揮させることができる。
【００２３】
第１２の発明を前提とする第１３の発明にかかるキャップ付き剃刀おいて、前記剃刀ヘッドはホルダ（１）に対し着脱可能に連結し得る替刃（１２）である。第１３の発明では、請求項１〜４のうちいずれか一つの請求項に記載した効果を替刃式剃刀において発揮させることができる。
【００２４】
第１２の発明または第１３の発明を前提とする第１４の発明にかかるキャップ付き剃刀おけるキャップ（２１）の周壁部（２３）において底壁部（２２）から開口部（２５）までの高さについては、境界部（３０）を介して環状に連続させて並べた四つの把持辺部（２６，２７，２８，２９）のうち、剃刀ヘッド（１２）をキャップ（２１）の収容部（２４）に収容した際に、剃刀ヘッド（１２）における刃体（１４）の刃先延設方向（Ｙ）に直交する方向（Ｚ）の両側に位置する二つの把持辺部（２６，２７）と、その刃先延設方向（Ｙ）に沿う方向（Ｙ）の両側に位置する二つの把持辺部（２８，２９）とのうち、一方の両把持辺部（２６，２７）における少なくとも一つ把持辺部（２６，２７）は他方の両把持辺部（２８，２９）における少なくとも一つ把持辺部（２８，２９）より小さい高さに設定された部分を有している。第１４の発明では、例えば図２に示すようにキャップ（２１）に剃刀ヘッド（１２）を支持した際にキャップ（２１）に対するホルダ（１）の頭部（３）の接触を防ぐことができる。
【発明の効果】
【００２５】
本発明は、剃刀ヘッド保護カバー（２１）や替刃収容ケース（４２）に対する剃刀ヘッド（１２）の着脱を支障なく行うことができる。
【図面の簡単な説明】
【００２６】
【図１】キャップ付き剃刀を正面側から見た組付斜視図である。
【図２】（ａ）は図１のキャップ付き剃刀を示す部分組付側面図であり、（ｂ）は同じく部分組付断面図である。
【図３】（ａ）は図１の剃刀において替刃からキャップを分解した状態を正面側から見た部分分解斜視図であり、（ｂ）は同じく背面側から見た部分分解斜視図である。
【図４】（ａ）は図３のキャップ付き剃刀を示す部分分解側面図であり、（ｂ）は同じく部分分解断面図である。
【図５】（ａ）は図３の剃刀においてホルダから替刃を分解した状態を正面側から見た部分分解斜視図であり、（ｂ）は同じく背面側から見た部分分解斜視図である。
【図６】（ａ）は図５のキャップ付き剃刀を示す部分分解側面図であり、（ｂ）は同じく部分分解断面図である。
【図７】（ａ）は複数のキャップを載置して互いに隣接するキャップを着脱可能に連結した替刃収容ケースを示す組付斜視図であり、（ｂ）は同じく正面図である。
【図８】替刃をキャップに収容した状態を示す背面図である。
【図９】（ａ）は別の替刃をキャップに収容した状態を示す背面図であり、（ｂ）はその替刃を示す斜視図である。
【発明を実施するための形態】
【００２７】
以下、本発明の一実施形態にかかるキャップ付き剃刀について不使用時の中立状態を基本として図面を参照して説明する。
図１に示すホルダ１は、上下方向Ｚへ細長く延設された把持部２と、その把持部２の上端部に設けられた頭部３とを有している。把持部２は、例えばＡＢＳ樹脂などの硬質樹脂により成形された主体部４と、例えばゴム材やエラストマー樹脂やシリコーン樹脂などの軟質樹脂により成形されてその主体部４の外側に露出する指当部５とを有している。頭部３は、硬質樹脂により把持部の主体部４とともに主体部４と同一材で一体成形された支持部６を有している。支持部６には環状部６ａが形成されている。図５及び図６に示すように、環状部６ａの中心位置に配設された受筒部７の外周と環状部６ａの内周との間には、弾性板８が介在されている。受筒部７は把持部２の主体部４と同一材で成形されている。弾性板８は例えばゴム材やエラストマー樹脂やシリコーン樹脂などの軟質樹脂により把持部２の指当部５とともに一体成形されている。受筒部７の内側には前側の着脱口１０と後側の操作口１１とにより開放された連結孔９が前後方向Ｘへ貫設されている。
【００２８】
替刃１２（剃刀ヘッド）は、肌接触面側で複数（四枚）の刃体１４を組み付けた刃体組付部１３と、その刃体組付部１３から肌接触面側（刃体１４側）に対する反対側へ頭部３の支持部６に向けて延びる連結突部１５とを有している。刃体組付部１３及び連結突部１５は例えばＡＢＳ樹脂などの硬質樹脂により成形されている。連結突部１５は、刃体組付部１３の刃台１６から延設された案内部１７と、案内部１７の下側に一体的に形成された片持ち梁状ばね１８（支持部）と、案内部１７の延設方向（前後方向Ｘ）の端部側に面して片持ち梁状ばね１８の自由端側から上方へ延設された操作部１９とを有している。操作部１９は替刃１２の肌接触面側に対し離間する後向きへ傾斜する押接面１９ａを有している。押接面１９ａは、指腹にフィットし易いように凹状に形成され、案内部１７の延設方向（前後方向Ｘ）と交差して形成されている。片持ち梁状ばね１８の自由端側で操作部１９の基端部には段差部２０（係脱部）が形成されている。片持ち梁状ばね１８は刃体組付部１３の刃台１６との間で切欠部１８ａを有している。
【００２９】
図３及び図４に示すように、替刃１２の連結突部１５をホルダ１の連結孔９に着脱口１０から挿入した保持状態にする際には、着脱口１０から操作口１１側に延びる切欠部７ａにより着脱口１０が広がるため、その挿入を容易に行うことができる。その挿入時、片持ち梁状ばね１８の自由端側にある操作部１９で傾斜する押接面１９ａがその切欠部７ａの後端側に当接すると、その押接面１９ａに生じる分力により、片持ち梁状ばね１８がその弾性力に抗して案内部１７に近付く上側に撓み、操作部１９の下面が連結孔９の下面に当接しながら後方へ移動する。その後、操作部１９が操作口１１の外側へ突出するに伴い、片持ち梁状ばね１８がその弾性力により下側へ復帰して、段差部２０が操作口１１の縁部１１ａに係止される係止状態となる。その保持状態では、案内部１７が連結孔９に挿入されて受筒部７が刃体組付部１３の刃台１６と段差部２０との間に挟持され、操作部１９が連結孔９の操作口１１から外側へ突出して露出する。
【００３０】
この保持状態で替刃１２を肌面に押し当てて使用すると、替刃１２に生じる力の向き及び大きさに応じて弾性板８が撓んで替刃１２を三次元方向に首振りさせることができる。その使用時に刃体組付部１３の刃台１６から流れ出た剃りかすを片持ち梁状ばね１８の切欠部１８ａから排出させることができる。
【００３１】
操作部１９の押接面１９ａは、連結孔９の着脱口１０と操作口１１とを結ぶ前後方向Ｘや案内部１７の延設方向（前後方向Ｘ）に沿う連結突部１５の着脱方向に対し傾斜しているため、操作口１１で押接面１９ａを連結突部１５の着脱方向（前後方向Ｘ）に沿う前方へ押さえると、段差部２０が操作口１１の縁部１１ａに係止される係止状態でも、押接面１９ａに付与した押接力は、その係止を解除する向きの力と、替刃１２を着脱口１０から押し出す向きの力として作用する。その押接力により、まず、片持ち梁状ばね１８が案内部１７に近付く上側に撓んで、段差部２０が操作口１１の縁部１１ａから離脱する非係止状態となる。さらに、その押接力により、連結突部１５が連結孔９の着脱口１０と操作口１１とを結ぶ前後方向Ｘや案内部１７の延設方向（前後方向Ｘ）に沿って連結孔９の着脱口１０から飛び出すように押し出されて替刃１２をホルダ１から分離させることができる。
【００３２】
図３及び図４に示すように、キャップ２１（保護カバー）は、例えばポリプロピレン樹脂などの硬質樹脂により成形され、底壁部２２と、底壁部２２の外周に設けられた周壁部２３と、底壁部２２及び周壁部２３の内側に設けられた収容部２４と、収容部２４を開放した開口部２５とを有している。周壁部２３は、底壁部２２の周方向へ環状に連続させて並べられた複数（四つ）の把持辺部（上把持辺部２６、下把持辺部２７、左把持辺部２８、右把持辺部２９）と、互いに隣接する両把持辺部間（上把持辺部２６と左把持辺部２８との間、左把持辺部２８と下把持辺部２７との間、下把持辺部２７と右把持辺部２９との間、右把持辺部２９と上把持辺部２６との間）に設けられた複数（四つ）の隅部３０（境界部）とを有している。上下両側の把持辺部２６，２７における左右方向Ｙの長さは左右両側の把持辺部２８，２９における上下方向Ｚの長さより長くなっている。各隅部３０は小さい半径の円弧状に形成されている。底壁部２２の上下両側には上下両側の把持辺部２６，２７に沿って延びる長孔３３が形成されている。長孔３３により収容部２４の通気性を良くすることができる。図７（ｂ）及び図８に示すように、底壁部２２及び周壁部２３には周方向に延びる矢印２１ａが付されている。
【００３３】
上下両側の把持辺部２６，２７のうち、一方の外側には底壁部２２の周方向へ延びる連結凸部３１が形成され、他方の外側には底壁部２２の周方向へ延びる連結凹部３２が形成されている。連結凸部３１は、前後方向Ｘの両側に案内部３１ａを有する断面蟻形状に形成されている。案内部３１ａは右把持辺部２９側の挿脱口部３１ｂから左把持辺部２８側の閉塞部３１ｃまで左右方向Ｙへ延設されている。閉塞部３１ｃには前後両案内部３１ａのうち一方を閉塞するストッパ３１ｄが形成されている。また、連結凹部３２は、前後方向Ｘの両側に案内部３２ａを有する断面蟻溝形状に形成されている。案内部３２ａは左把持辺部２８側の挿脱口部３２ｂから右把持辺部２９側の閉塞部３２ｃまで左右方向Ｙへ延設されている。挿脱口部３２ｂには前後両案内部３２ａのうち一方を切り欠く切欠部３２ｄが形成されている。
【００３４】
キャップ２１において四つの隅部３０には係止部３４，３５，３６，３７が設けられている。底壁部２２には各係止部３４，３５，３６，３７と対向する切欠孔３８が設けられている。四つの隅部３０のうち、対角位置にある二つの隅部３０の係止部３４，３６には底壁部２２の切欠孔３８に連続する切欠孔３９により片持ち梁状の弾性片４０が設けられ、他の対角位置にある二つの隅部３０の係止部３５，３７には突起４１が底壁部２２の切欠孔３８に隣接して設けられている。
【００３５】
キャップ２１において、連結凸部３１を有する上把持辺部２６と、連結凹部３２を有する下把持辺部２７とを上下逆に配置すると、弾性片４０を有する係止部３４の旧位置に弾性片４０を有する係止部３６が配置されるとともに、その係止部３６の旧位置にその係止部３４が配置され、また、突起４１を有する係止部３７の旧位置に突起４１を有する係止部３５が配置されるとともに、その係止部３５の旧位置にその係止部３７が配置されるため、収容部２４では、両弾性片４０と両突起４１との配置関係は全く同様である。
【００３６】
図７に示すように複数のキャップ２１を互いに並べて、互いに隣接する両キャップ２１のうち、一方のキャップ２１の把持辺部２６における連結凸部３１の挿脱口部３１ｂと、他方のキャップ２１の把持辺部２７における連結凹部３２の挿脱口部３２ｂとを対向させた状態で、連結凸部３１の両案内部３１ａを連結凹部３２の両案内部３２ａに対し連結凹部３２の切欠部３２ｄから挿入して、連結凸部３１の挿脱口部３１ｂが連結凹部３２の閉塞部３２ｃに並んで当接するとともに、連結凹部３２の挿脱口部３２ｂが連結凸部３１の閉塞部３１ｃに並んで連結凸部３１のストッパ３１ｄが連結凹部３２の切欠部３２ｄに入り込んで当接するまで、底壁部２２及び周壁部２３の周方向における矢印２１ａの向きへスライドさせると、各キャップ２１を集合させた替刃収容ケース４２を設けることができる。ちなみに、製品の販売時には、替刃１２を収容した一つのキャップ２１がホルダ１の頭部３に連結され、そのキャップ２１以外に、替刃１２を収容した替刃収容ケース４２が包装されている。替刃収容ケース４２において互いに隣接する両キャップ２１のうち一方を他方に対し矢印２１ａの向きへスライドさせると、替刃収容ケース４２から一つのキャップ２１を順次分離させることができる。なお、図４に示すように、キャップ２１において底壁部２２の前側外表面と下把持辺部２７及び連結凹部３２の前側外表面とを平面Ａで面一に形成すれば、図７に示す替刃収容ケース４２においてそれらの前側外表面で段差がなくなるために把持し易くなり、また、ゴミが入りにくくなる。一方、下把持辺部２７及び連結凹部３２の後側外表面と上把持辺部２６及び連結凸部３１の後側外表面とを同じ平面Ｂ上に形成している。
【００３７】
また、一方のキャップ２１の把持辺部２６における連結凸部３１の閉塞部３１ｃと、他方のキャップ２１の把持辺部２７における連結凹部３２の挿脱口部３２ｂとを対向させた場合には、連結凸部３１のストッパ３１ｄが連結凹部３２の案内部３２ａに当接するため、連結凸部３１の両案内部３１ａを連結凹部３２の両案内部３２ａに挿入することができない。
【００３８】
次に、キャップ２１または替刃収容ケース４２に対し替刃１２を収容したり取り出したりする際の操作について図８も参照して述べる。
キャップ２１または替刃収容ケース４２において上下両側の把持辺部２６，２７または左右両側の把持辺部２８，２９を両指で挟持して収容部２４に替刃１２を収容する際、刃体組付部１３の刃台１６の四隅に設けられた引掛部４３は、各隅部３０の係止部３４，３５，３６，３７に対応し、対角位置にある二つの隅部３０において係止部３４，３６の弾性片４０に係止されるとともに、対角位置にある他の二つの隅部３０において係止部３５，３７の突起４１に係止される。
【００３９】
また、上下両側の把持辺部２６，２７または左右両側の把持辺部２８，２９を両指で挟持して収容部２４から替刃１２を取り出す際、弾性片４０に対する引掛部４３の係止が解除されるとともに、突起４１に対する引掛部４３の係止が解除される。
【００４０】
このように上下両側の把持辺部２６，２７または左右両側の把持辺部２８，２９を両指で挟持しても、係止部３４，３６の切欠孔３９及び弾性片４０を有する隅部３０には挟持力が付与されにくいため、その弾性変形を阻害しない。一方、係止部３５，３７の突起４１を有する隅部３０は、さほど弾性変形しないため、係止部３４，３６の切欠孔３９及び弾性片４０を有する隅部３０と異なり、挟持力による悪影響はない。キャップ２１の上把持辺部２６と下把持辺部２７とを上下逆に配置しても、替刃１２をキャップ２１に同様に収容することができる。
【００４１】
なお、替刃１２をキャップ２１に収容したままでもキャップ２１とともにホルダ１から分離させたり、替刃１２をキャップ２１に収容した状態でホルダ１に連結してキャップ２１から取り出したりすることができる。
【００４２】
本実施形態は下記の効果を有する。
（１）  剃刀のキャップ２１を複数並べて互いに着脱可能に連結した替刃収容ケース４２として利用することができる。
【００４３】
（２）  キャップ２１または替刃収容ケース４２において収容部２４に替刃１２を収容した際にその替刃１２を着脱可能に係止し得る係止部３４，３５，３６，３７を把持辺部２６，２７，２８，２９でなく隅部３０に設けたので、把持辺部２６，２７，２８，２９を把持した際にも係止部３４，３５，３６，３７を有する隅部３０は弾性変形度を維持してキャップ２１または替刃収容ケース４２の係止部３４，３５，３６，３７に対する替刃１２の着脱を支障なく行うことができる。
【００４４】
（３）  キャップ２１または替刃収容ケース４２において弾性片４０を有している係止部３４，３６では、隅部３０がより一層弾性変形度を維持してキャップ２１の係止部３４，３５，３６，３７に対する替刃１２の着脱を容易に行うことができる。
【００４５】
（４）  キャップ２１または替刃収容ケース４２において底壁部２２には係止部３４，３５，３６，３７と対向する切欠孔３８を設けたので、底壁部２２の切欠孔３８により替刃１２を視認することができるとともに、弾性片４０を成形し易い。
【００４６】
（５）  キャップ２１または替刃収容ケース４２において四つの隅部３０のうち対角位置にある二つの隅部３０に係止部３４，３６の弾性片４０を設けたので、四つの把持辺部２６，２７，２８，２９のうち対向する二つの把持辺部２６，２７，２８，２９を両指で把持した際に周壁部２３が偏って変形することを規制し、弾性片４０に対する替刃１２の着脱を支障なく行うことができる。
【００４７】
前記実施形態以外にも例えば下記のように構成してもよい。
・  図示しないが、替刃収容ケース４２においては、底壁部２２と、底壁部２２の外周に設けた周壁部２３と、底壁部２２及び周壁部２３の内側に設けた収容部２４と、収容部２４を開放した開口部２５とを有するカバー部（キャップ２１に該当）を、その周壁部２３の一部を兼ねて複数並設したものであってもよい。
【００４８】
・  図９に示すように、四枚刃の替刃１２に代えて、形態の若干異なる五枚刃の替刃１２もキャップ２１や替刃収容ケース４２に収容することができる。
・  小さい半径の円弧状に形成された隅部３０については、その半径を変更したり、両把持辺部をほぼ９０度に交差させた角部に変更したりしてもよい。
【００４９】
・  キャップ２１の各隅部３０の係止部３４，３５，３６，３７において、弾性片４０や突起４１の配置を種々変更してしてもよい。例えば、すべての隅部３０に対して弾性片４０または突起４１を配置することができる。
【００５０】
・  キャップ２１の周壁部２３において四辺の把持辺部２６，２７，２８，２９以外の把持辺部であってもよく、例えば三辺以下や五辺以上に変更したりしてもよい。
・  キャップ２１の各把持辺部２６，２７，２８，２９については、直線状の形状ばかりではなく、外側または内側へ湾曲させた形状に変更してもよい。
【００５１】
・  キャップ２１の連結凸部３１及び連結凹部３２については、上下両把持辺部２６，２７以外に、左右両把持辺部２８，２９に設けてもよい。
・  両キャップ２１については、連結凸部３１と連結凹部３２とのスライド連結以外に、凹凸嵌合や磁石や面フャスナーなどにより連結してもよい。
【００５２】
・  キャップ２１の周壁部２３については、複数の把持辺部２６，２７，２８，２９が底壁部２２上で分断されていてもよい。
【符号の説明】
【００５３】
１２…替刃（剃刀ヘッド）、１４…刃体、２１…キャップ（剃刀ヘッド保護カバー）、２２…キャップの底壁部、２３…キャップの周壁部、２４…キャップの収容部、２５…キャップの開口部、２６，２７，２８，２９…周壁部の把持辺部、３０…周壁部の隅部（境界部）、３４，３５，３６，３７…隅部の係止部、３８…底壁部の切欠孔、４０…係止部の弾性片、４２…替刃収容ケース（剃刀ヘッド保護カバー）。
【図１】
2015077179.tif 000003
【図２】
2015077179.tif 000004
【図３】
2015077179.tif 000005
【図４】
2015077179.tif 000006
【図５】
2015077179.tif 000007
【図６】
2015077179.tif 000008
【図７】
2015077179.tif 000009
【図８】
2015077179.tif 000010
【図９】
2015077179.tif 000011